(57)【要約】【課題】操作者の負担を軽減しつつ確実に患者の体調監視を行うことができる高周波温熱治療装置を提供する。【解決手段】高周波温熱治療装置１は、患者１００の患部１０１を挟んで対向する一対の電極３７，４７を備え、一対の電極間に高周波電力を印加し、誘電加熱によって患部を温熱治療する高周波温熱治療装置において、患者１００のバイタルデータを計測するバイタルデータ計測器７０と、バイタルデータ計測器７０による計測結果に基づいて患者１００の体調が正常か否かを判定する体調判定部（Ｓ３，Ｓ４）と、体調判定部によって患者１００の体調が正常でないと判定された場合に報知を行う報知部としての表示入力部７１ａ及びスピーカ７１ｂと、を備えている。【選択図】図１
2018130447.tif 000002
【特許請求の範囲】
【請求項１】
患者（１００）の患部（１０１）を挟んで対向する一対の電極（３７，４７）を備え、前記一対の電極間に高周波電力を印加し、誘電加熱によって患部を温熱治療する高周波温熱治療装置において、
前記患者のバイタルデータを計測するバイタルデータ計測器（７０，Ｓ１）と、
前記バイタルデータ計測器による計測結果に基づいて前記患者の体調が正常か否かを判定する体調判定部（７０，Ｓ３，Ｓ４）と、
前記体調判定部によって前記患者の体調が正常でないと判定された場合に報知を行う報知部（７１ａ，７１ｂ，Ｓ５）と、
を備えた高周波温熱治療装置。
【請求項２】
前記バイタルデータ計測器による計測結果を、前記患者の治療期間全体に亘って蓄積するバイタルデータ蓄積部（７１ｃ，Ｓ２）を備えた請求項１に記載の高周波温熱治療装置。
【請求項３】
前記体調判定部（Ｓ４）は、前記バイタルデータ計測器による計測結果を前記バイタルデータ蓄積部に蓄積された前記患者のバイタルデータと比較することにより、前記患者の体調が正常か否かを判定する請求項２に記載の高周波温熱治療装置。
【請求項４】
前記患者の体に向けて送風する送風機（８０）と、
前記バイタルデータ計測部による計測結果に基づいて前記送風機を制御する送風制御部（７０，Ｓ６，Ｓ７）と、
を備えた請求項１乃至３のいずれか一項に記載の高周波温熱治療装置。
【請求項５】
前記患者からの応答を要求する応答要求部（７１ｂ，Ｓ１２）と、
前記応答要求部の応答要求に対する前記患者からの応答を検知する応答検知部（７４，Ｓ１３，Ｓ１４）と、
を備えた請求項１乃至４のいずれか一項に記載の高周波温熱治療装置。
【発明の詳細な説明】
【技術分野】
【０００１】
本発明は、電極間に高周波電力を印加し、誘電加熱によって患部を温熱治療する高周波温熱治療装置に関する。
【背景技術】
【０００２】
従来、一対の円盤電極間に患部を挟み、円盤電極間に周波数１ＭＨｚ〜１００ＭＨｚの高周波電力を供給してがん患部に高周波電磁界を照射し、誘電加熱により患部を加温することで、がん治療を行う高周波温熱治療装置が知られている（例えば、特許文献１参照。）。
【先行技術文献】
【特許文献】
【０００３】
【特許文献１】特許第５９４７４６９号公報
【発明の概要】
【発明が解決しようとする課題】
【０００４】
ところで、高周波温熱治療装置による温熱治療では、患部の加温に伴って患者の体調が変化することがある。そのため、高周波温熱治療装置の操作者である看護師や療法士等が温熱治療中の患者の体調変化を把握するために、時々、患者の様子を目で観察したり声を掛けたりすることが従来から行われている。
【０００５】
しかしながら、操作者の目視や声掛けによる患者の体調監視では、体調変化に気付きにくい場合があるだけでなく、操作者にとって大きな負担となっており、操作者の負担を軽減しつつ確実に患者の体調監視を行うことが求められているという課題があった。
【０００６】
本発明は、上述した課題に鑑みてなされたものであり、操作者の負担を軽減しつつ確実に患者の体調監視を行うことができる高周波温熱治療装置を提供することを目的とする。
【課題を解決するための手段】
【０００７】
上記目的を達成するためになされた請求項１に記載の発明は、患者（１００）の患部（１０１）を挟んで対向する一対の電極（３７，４７）を備え、前記一対の電極間に高周波電力を印加し、誘電加熱によって患部を温熱治療する高周波温熱治療装置において、前記患者のバイタルデータを計測するバイタルデータ計測器（７０，Ｓ１）と、前記バイタルデータ計測器による計測結果に基づいて前記患者の体調が正常か否かを判定する体調判定部（７０，Ｓ３，Ｓ４）と、前記体調判定部によって前記患者の体調が正常でないと判定された場合に報知を行う報知部（７１ａ，７１ｂ）と、を備えている。
【０００８】
この構成によれば、患者の温熱治療を行っている間、バイタルデータ計測器が患者のバイタルデータを計測すると、体調判定部がバイタルデータ計測器による計測結果に基づいて患者の体調が正常か否かを判定する。そして、体調判定部によって患者の体調が正常でないと判定された場合、報知部が報知を行うので、操作者は患者の体調に異変が生じたことを確実に把握することができる。よって、操作者の負担を軽減しつつ確実に患者の体調監視を行うことができる高周波温熱治療装置を提供することができるという効果を奏する。
【０００９】
また、請求項２に記載の発明は、前記バイタルデータ計測器による計測結果を、前記患者の治療期間全体に亘って蓄積するバイタルデータ蓄積部（７１ｃ，Ｓ２）を備えている。
【００１０】
この構成によれば、バイタルデータ蓄積部がバイタルデータ計測器による計測結果を、患者の治療期間全体に亘って蓄積するので、温熱治療における患者の体調変化を治療期間全体に亘って把握することができるという効果を奏する。尚、バイタルデータ計測器によって計測されたバイタルデータの一部ないし全部は、がんの温熱治療（ハイパーサーミア）の効果指標となり得るため、バイタルデータ蓄積部に蓄積されたバイタルデータに基づいて温熱治療の効果を確認することも可能となる。
【００１１】
また、請求項３に記載の発明は、前記体調判定部（Ｓ４）は、前記バイタルデータ計測器による計測結果を前記バイタルデータ蓄積部に蓄積された前記患者のバイタルデータと比較することにより、前記患者の体調が正常か否かを判定する。
【００１２】
この構成によれば、体調判定部は、バイタルデータ計測部による計測結果をバイタルデータ蓄積部に蓄積された患者のバイタルデータと比較することにより、患者の体調が正常か否かを判定するので、当該患者の過去の温熱治療において蓄積されたバイタルデータを活用して、より正確に患者の体調を判定することができるという効果を奏する。
【００１３】
また、請求項４に記載の発明は、前記患者の体に向けて送風する送風機（８０）と、前記バイタルデータ計測部による計測結果に基づいて前記送風機を制御する送風制御部（７０，Ｓ６，Ｓ７）と、を備えている。
【００１４】
この構成によれば、送風制御部は、バイタルデータ計測部による計測結果に基づいて送風機を制御し、送風機は患者の体に向けて送風するので、患者において温熱治療に伴う暑さを和らげることができるという効果を奏する。
【００１５】
また、請求項５に記載の発明は、前記患者からの応答を要求する応答要求部（７１ｂ，Ｓ１２）と、前記応答要求部の応答要求に対する前記患者からの応答を検知する応答検知部（７４，Ｓ１３，Ｓ１４）と、を備えている。
【００１６】
この構成によれば、応答要求部が患者からの応答を要求すると、応答検知部は、応答要求部の応答要求に対する患者からの応答を検知するので、患者の応答があったことを確実に把握することができる。
【図面の簡単な説明】
【００１７】
【図１】本発明の実施形態の高周波温熱治療装置の概略構成を示す外観図である。
【図２】患者を治療中の高周波温熱治療装置を図１のII線矢視にて示す図である。
【図３】高周波温熱治療装置の電気的回路構成を示すブロック図である。
【図４】患者ごとにバイタルデータが蓄積される一例を示す説明図である。
【図５】バイタルデータ計測に伴う一連の処理の流れを示すフローチャートである。
【図６】患者の応答確認処理の流れを示すフローチャートである。
【発明を実施するための形態】
【００１８】
以下、本発明を具体化した高周波温熱治療装置の一実施形態について説明する。
【００１９】
まず、本実施形態の高周波温熱治療装置１の構成について、図１乃至図６を参照しつつ説明する。図１は、高周波温熱治療装置１の概略構成を示す外観図、図２は、患者を治療中の高周波温熱治療装置１を図１のII線矢視にて示す図、図３は、高周波温熱治療装置１の電気的回路構成を示すブロック図、図４は、患者ごとにバイタルデータが蓄積される一例を示す説明図、図５は、バイタルデータ計測に伴う一連の処理の流れを示すフローチャート、図６は、患者の応答確認処理の流れを示すフローチャートである。
【００２０】
高周波温熱治療装置１は、図１等に示すように、寝台１０と、ガントリ３０と、高周波発生装置５０と、コンソール６０と、バイタルデータ計測器７０と、送風機８０とを備えて構成される。
【００２１】
寝台１０は、治療対象の患者が横臥する寝台部であって、水平にスライド移動可能に構成され、ガントリ３０の開口３１ａ内を出し入れするようになっている。
【００２２】
ガントリ３０は、患者１００の患部１０１に高周波電力を照射する装置であって、本体３１中央に寝台１０を出し入れ可能な円形の開口３１ａが設けられている。ガントリ３０は、開口３１ａを挟む上下に一対の電極軸としての上部電極軸３４，下部電極軸３５を備えると共に、これらに着脱自在に装着される一対の電極アタッチメント３６，４６を備えている。
【００２３】
すなわち、開口３１ａ内側面の最上部において、絶縁材からなる支持部３３を貫通して金属製の上部電極軸３４が下向きに突設されている。また、開口３１ａ内側面の最下部において、金属製の下部電極軸３５が上部電極軸３４と対向するように上向きに突設されている。上部電極軸３４及び下部電極軸３５は、ともに中空円筒状に形成され、中空内部には冷却パッド３８又は冷却パッド４８内に冷却水を循環させるための図示しない冷却水供給管と冷却水排出管とが挿通されている。また、ガントリ３０は、開口３１ａを囲む外周側で周方向移動可能な回転部（図示せず）を内蔵しており、上部電極軸３４を支持する支持部３３は、その回転部において径方向に伸縮可能に設けられている。
【００２４】
上部電極アタッチメント３６は、上部電極軸３４に着脱可能に装着される電極アタッチメントであって、円盤電極３７と、冷却パッド３８とを備えている。
【００２５】
円盤電極３７は、円盤状を呈する電極板であって、下面は冷却パッド３８で覆われている。円盤電極３７は、中心に係合穴３７ａが形成されており、この係合穴３７ａに上部電極軸３４が挿入され且つ係合することによって、上部電極アタッチメント３６が上部電極軸３４に装着される。
【００２６】
冷却パッド３８は、ウレタンフィルム等の柔軟性のある樹脂材料等からなるドーム状部材であって、内部を冷却水が循環するようになっている。
【００２７】
下部電極アタッチメント４６は、下部電極軸３５に着脱可能に装着される電極アタッチメントであって、円盤電極４７と、冷却パッド４８とを備えている。円盤電極４７は、円盤状を呈する電極板であって、上面は冷却パッド４８で覆われている。円盤電極４７及び冷却パッド４８は、それぞれ円盤電極３７、冷却パッド３８と同様の物であるので、詳細説明を省略する。尚、以下の説明において、円盤電極３７，４７を単に電極３７，４７とも称する。
【００２８】
尚、上部電極アタッチメント３６及び下部電極アタッチメント４６は、円盤電極３７、４７の直径（電極径φ）の異なる複数種類が用意されており、治療部位に適したサイズの物を選択して使用される。
【００２９】
高周波発生装置５０は、一対の円盤電極３７，４７に印加される数ＭＨｚ（例えば、８ＭＨｚ）の高周波を発生する装置である。高周波発生装置５０は、図３のブロック図に示すように、電源回路５１と、高周波発生回路５２と、整合回路５３と、高周波電力計５４と、制御回路５５とを備えて構成される。
【００３０】
電源回路５１は、高周波発生回路５２に電源を供給する電気回路である。電源回路５１は、商用電源を変圧及び整流して所定電圧の直流電源を生成し、生成された直流電源を高周波発生回路５２に供給する。
【００３１】
高周波発生回路５２は、自励発振方式により数ＭＨｚ（例えば、８ＭＨｚ）の高周波を発生する電気回路であって、数１０Ｗ〜数１００Ｗから１５００Ｗの範囲で出力が変更可能になっている。高周波発生回路５２の出力は、制御回路５５からの出力制御信号によって制御される。
【００３２】
整合回路５３は、高周波発生回路５２と円盤電極３７，４７間に配置される負荷である患者１００とのインピーダンス整合を行う電気回路であって、制御回路５５から調整可能となっている。
【００３３】
高周波電力計５４は、円盤電極３７，４７間の患者１００に供給される高周波電力を計測する装置である。高周波電力計５４は、円盤電極３７，４７への入射電力Ｐｉと円盤電極３７，４７からの反射電力Ｐｒを検出し、入射電力Ｐｉと反射電力Ｐｒとの差を算出することにより、負荷である患者１００側に供給された供給電力Ｐｓを求める。供給電力Ｐｓの値は、制御回路５５を介してコンソール６０へ送られて画面表示される。
【００３４】
制御回路５５は、中央演算装置（ＣＰＵ）やＲＯＭ、ＲＡＭ、ハードディスク等の記憶部を有するコンピュータを備えた装置であって、コンソール６０からの入力に応じて電源回路５１、高周波発生回路５２、整合回路５３を制御する。
【００３５】
すなわち、制御回路５５は、コンソール６０からの起動指令によって電源回路５１を起動する。また、制御回路５５は、最大出力を超えないように高周波発生回路５２の出力制御を行う。
【００３６】
また、制御回路５５は、整合回路５３の調整を行う処理や、高周波電力計５４から受け取った供給電力Ｐｓの値をコンソール６０へ送る処理を行う。更に、制御回路５５は、冷却パッド３８，４８へ冷却水を循環させるための図示しないポンプを動作制御する処理を行う。
【００３７】
コンソール６０は、医師等の操作者による入力操作や各種表示を行うための入出力装置であって、例えば、タッチパネル装置によって構成される。すなわち、コンソール６０を介して操作者より入力された情報は制御回路へ送られ、制御回路から送られる各種の出力が画面表示される。
【００３８】
バイタルデータ計測器７０は、ＣＰＵ，ＲＯＭ，ＲＡＭ等を有する計測回路や時計を内蔵し、患者のバイタルデータを計測する装置であって、バイタルデータとして、最高血圧及び最低血圧を含む血圧と、体温と、脈拍と、血中酸素飽和度とを計測することができるものである。バイタルデータ計測器７０は、表示入力部７１ａ、スピーカ７１ｂ及びハードディスク７１ｃを有してガントリ３０側面に設けられる計測器本体７１と、計測器本体７１より延設されたコードの先端に設けられたセンサ７２と、センサ７２上に設けられた応答ボタン７４とを備えて構成される。
【００３９】
表示入力部７１ａは、液晶画面の表面に接触センサを設けてなり、画面に各種の情報を表示するための表示部と、指で画面に触れることにより入力するための入力部とを兼ねた公知のタッチパネル装置である。表示入力部７１ａは、バイタルデータの計測結果、各種操作ボタン、報知メッセージ等が表示される。
【００４０】
スピーカ７１ｂは、音声メッセージやアラーム音を発生させるための公知のスピーカ装置である。
【００４１】
ハードディスク７１ｃは、磁気記憶方式によってデータを読み書きする大容量の磁気ディスク装置である。ハードディスク７１ｃは、高周波温熱治療装置１により温熱治療が実施された全ての患者について、患者毎に計測日、時刻、バイタルデータ計測結果を蓄積する。図４は、ハードディスク７１ｃにおいて患者ごとにバイタルデータが蓄積される一例を示す説明図である。図４には、患者Ａと患者Ｂについてそれぞれ計測日毎に計測時刻とバイタルデータ（最高血圧、最低血圧、体温、脈拍及び血中酸素飽和度）が蓄積された状態が示されている。
【００４２】
センサ７１は、患者の手の指先に装着して各種のバイタルデータ（最高血圧、最低血圧、体温、脈拍及び血中酸素飽和度）を計測するためのセンサを備えた公知のフィンガープローブである。センサ７２による計測結果は、コードを介して計測器本体７１へ送られる。
【００４３】
応答ボタン７４は、患者が押下するための押しボタンであって、センサ７２の側面に設けられている。応答ボタン７４を押下すると、計測器本体７１へコードを介してボタン押下を示す信号が送られる。患者は、センサ７４を人差し指の指先に装着した状態で、親指で応答ボタン７４を押下することにより、操作者からの呼びかけやスピーカ７１ｂからの音声メッセージに対して応答することができる。
【００４４】
送風機８０は、送風ファンを電動モータにより回転させて送風する公知の扇風機であって、ガントリ３０の上面に取り付けられている。送風機８０は、送風ファンの上下方向の傾きを可変に構成され、寝台１０上に横臥する患者の体の位置に応じて、上下の傾きを変えることにより送風方向を調整可能となっている。送風機８０は、バイタルデータ計測器７０からの制御信号によって送風が実行される。
【００４５】
次に、バイタルデータ計測器７０におけるバイタルデータの計測に伴う一連の処理の流れについて、図５のフローチャートを参照しつつ説明する。操作者は、治療開始前の準備操作として、表示入力部７１ａより今回の治療対象である患者の氏名を選択しておく。そして、円盤電極３７，４７間への高周波電力の印加開始によって温熱治療が開始されると、まずステップ１で、センサ７２を介して患者のバイタルデータ、すなわち、最高血圧、最低血圧、体温、脈拍及び血中酸素飽和度を計測する。以下、ステップ１をＳ１と略記する。他のステップも同様である。
【００４６】
次に、Ｓ２で、バイタルデータの計測結果をハードディスク７１ｃに蓄積する。この時、本体部７１に内蔵される時計から出力された時刻データが、バイタルデータ計測結果と共に蓄積される。続いて、Ｓ３で、今回の計測結果が正常範囲内か否かを判定する。今回の計測結果が正常範囲内か否かの判定は、予め設定された監視閾値との比較によって行われる。例えば、最高血圧の監視閾値が２００ｍｍＨｇに設定されている場合、最高血圧の計測結果が２００ｍｍＨｇ以下の場合に正常範囲内と判定され、２００ｍｍＨｇを超えた場合に正常範囲内でない（すなわち、患者の体調に異変が生じた）と判定される。また、脈拍の監視閾値が１５０ＢＰＭに設定されている場合、脈拍の測定結果が１５０ＢＰＭ以下の場合に正常範囲内とされ、１５０ＢＰＭを超えた場合に正常範囲内でないと判定される。
【００４７】
Ｓ３でＮｏの場合、Ｓ５で、体調異変の報知、すなわち、患者の体調に異変が生じたことの報知を行い、Ｓ６へ進む。体調異変の報知は、例えば、「体調に異変が生じました。」とのメッセージを表示入力部７１ａへ画面表示すると共に、スピーカ７１ｂから音声メッセージを出力することにより行われる。
【００４８】
Ｓ３でＹｅｓの場合、Ｓ４で、計測結果と蓄積データ平常値との差が所定範囲内か否かを判定する。蓄積データ平常値とは、当該患者についてハードディスク７１ｃに蓄積された過去のバイタルデータから求められる平常値である。例えば、蓄積データ平常値として、当該患者の蓄積データにおける最高値を用いてもよいし、蓄積データの平均値を用いてもよい。バイタルデータは個人差が大きいため、計測結果が監視閾値を超えていない場合であっても、平常値との差が大きい場合には当該患者に体調に異変が生じている可能性があるため、計測結果と当該患者の蓄積データ平常値とを比較することで体調異変が生じたか否かを判定するものである。Ｓ４でＮｏの場合、Ｓ５で体調異変の報知を行い、Ｙｅｓの場合はＳ６へ進む。
【００４９】
Ｓ６では、計測結果が送風必要条件に達したか否かを判定する。ここで、送風必要条件とは、温熱治療に伴って患者が暑さを感じ始め、患者の暑さを和らげるために体に向けて送風が必要とされる状態でのバイタルデータの閾値を意味する。例えば、体温の計測結果が４０℃以上である場合に送風必要条件に達したと判定するようにしてもよい。
【００５０】
Ｓ６でＹｅｓの場合、Ｓ７で送風開始する処理、すなわち、送風機８０へ制御信号を送って送風を開始させる処理を行い、本ルーチンを終了する。Ｓ６でＮｏの場合も、本ルーチンを終了する。
【００５１】
次に、バイタルデータ計測器７０における応答確認処理の流れについて、図６のフローチャートを参照しつつ説明する。患者に応答確認を行う目的は、患者の体調に異変が生じて意識を失った状態になっていないことを確認するためである。まず、Ｓ１１で、温熱治療開始から所定時間経過したかを判定する。所定時間は、表示入力部７１ａから自在に設定できるようにしてもよく、例えば、所定時間を１０分と設定してもよい。所定時間が経過していない間はＮｏとなり、Ｓ１１を繰り返す。所定時間経過した場合は、Ｓ１１でＹｅｓとなり、Ｓ１２へ進む。
【００５２】
Ｓ１２では、スピーカ７１ｂより「応答ボタンを押してください。」という音声メッセージを発生させる。次に、Ｓ１３で、応答ボタン７４が押下されたか否かを判定する。Ｓ１３でＮｏの場合、Ｓ１２へ戻り、再び音声メッセージを発生させる。Ｓ１２を繰り返して音声メッセージを何度繰り返しても応答ボタンの押下が検知されない場合、患者は意識を失っている可能性がある。Ｓ１３で応答ボタンの押下が検知された場合はＹｅｓとなり、Ｓ１４へ進む。Ｓ１４では、スピーカ７１ｂより「応答を確認しました。」という音声メッセージを発生させ、本ルーチンを終了する。
【００５３】
以上詳述したことから明らかなように、本実施形態の高周波温熱治療装置１は、患者１００の患部１０１を挟んで対向する一対の電極３７，４７を備え、一対の電極間に高周波電力を印加し、誘電加熱によって患部を温熱治療する高周波温熱治療装置において、患者１００のバイタルデータを計測するバイタルデータ計測器７０と、バイタルデータ計測器７０による計測結果に基づいて患者１００の体調が正常か否かを判定する体調判定部（Ｓ３，Ｓ４の処理ステップ）と、体調判定部（Ｓ３，Ｓ４）によって患者１００の体調が正常でないと判定された場合に報知を行う報知部としての表示入力部７１ａ及びスピーカ７１ｂと、を備えている。
【００５４】
この構成によれば、患者の温熱治療を行っている間、バイタルデータ計測器７０が患者のバイタルデータを計測すると、体調判定部（Ｓ３，Ｓ４）において、バイタルデータ計測器７０による計測結果に基づいて患者の体調が正常か否かを判定する。そして、体調判定部（Ｓ３，Ｓ４）によって患者１００の体調が正常でないと判定された場合、報知部としての表示入力部７１ａ及びスピーカ７１ｂが報知を行うので、操作者は患者の体調に異変が生じたことを確実に把握することができる。よって、操作者の負担を軽減しつつ確実に患者の体調監視を行うことができる高周波温熱治療装置１を提供することができるという効果を奏する。
【００５５】
また、高周波温熱治療装置１は、バイタルデータ計測器７０による計測結果を、患者１００の治療期間全体に亘って蓄積するバイタルデータ蓄積部としてのハードディスク７１ｃを備えている。
【００５６】
この構成によれば、操作者は温熱治療における患者１００の体調変化を治療期間全体に亘って把握することができるという効果を奏する。尚、バイタルデータ計測器７０によって計測されたバイタルデータの一部ないし全部は、がんの温熱治療（ハイパーサーミア）の効果指標となり得るため、ハードディスク７１に蓄積されたバイタルデータに基づいて温熱治療の効果を確認することも可能となる。
【００５７】
また、高周波温熱治療装置１は、Ｓ４の処理ステップ（体調判定部）において、バイタルデータ計測器７０による計測結果をハードディスク７１ｃ（バイタルデータ蓄積部）に蓄積された患者のバイタルデータと比較することにより、患者の体調が正常か否かを判定する。
【００５８】
この構成によれば、当該患者の過去の温熱治療において蓄積されたバイタルデータを活用して、より正確に患者の体調を判定することができるという効果を奏する。
【００５９】
また、高周波温熱治療装置１は、患者の体に向けて送風する送風機８０と、バイタルデータ計測器７０による計測結果に基づいて送風機８０を制御するＳ６，Ｓ７の処理ステップ（送風制御部）と、を備えている。
【００６０】
この構成によれば、Ｓ６，Ｓ７の処理ステップ（送風制御部）は、バイタルデータ計測器７０による計測結果に基づいて送風機８０を制御し、送風機８０は患者の体に向けて送風するので、患者において温熱治療に伴う暑さを和らげることができるという効果を奏する。
【００６１】
また、高周波温熱治療装置１は、患者からの応答を要求するスピーカ７１ｂ及びＳ１２の処理ステップ（応答要求部）と、応答要求に対する患者からの応答を検知する応答ボタン７４及びＳ１３，Ｓ１４の処理ステップ（応答検知部）と、を備えている。
【００６２】
この構成によれば、スピーカ７１ｂ及びＳ１２の処理ステップ（応答要求部）が患者からの応答要求の音声メッセージにより応答を要求すると、応答ボタン７４及びＳ１３，Ｓ１４の処理ステップ（応答検知部）は、応答要求に対する患者からの応答を検知するので、操作者はＳ１４の処理ステップにおける応答確認の音声メッセージにより患者の応答があったことを確実に把握することができる。
【００６３】
尚、本発明は、上述した実施の形態に限定されるものではなく、本発明の主旨を逸脱しない範囲で種々に変更を施すことが可能である。
【００６４】
例えば、上記実施形態では、バイタルデータ計測器７０によりバイタルデータとして最高血圧、最低血圧、体温、脈拍及び血中酸素飽和度を計測する例を示したが、これには限られない。これらの一部を計測する構成としてもよいし、こられ以外のバイタルデータを計測する構成としてもよい。
【００６５】
また、上記実施形態では、センサ７２として指先に装着するフィンガープローブを用いた例を示したが、センサの形態はこれには限られない。耳たぶを挟むタイプや、腕に巻くタイプのセンサでも構わない。
【００６６】
また、上記実施形態では、計測結果が送風必要条件に達した場合に送風機８０による送風を開始するようにしたが（Ｓ６でＹｅｓ，Ｓ７）、これに加えて、送風開始後に送風が不要な状態となったことを判定して自動的に送風を停止するように構成してもよい。
【００６７】
また、上記実施形態では、応答要求に対して応答ボタン７４の押下により応答確認を行う構成としたが、これには限られない。例えば、音声認識装置を設けて、患者の音声を認識することにより応答確認を行うように構成してもよい。
【符号の説明】
【００６８】
１    高周波温熱治療装置
３７    円盤電極（電極）
４７    円盤電極（電極）
７０    バイタルデータ計測器
７１ａ  表示入力部（報知部）
７１ｂ  スピーカ（報知部、応答要求部）
７１ｃ  ハードディスク（バイタルデータ蓄積部）
７４    応答ボタン（応答検知部）
８０    送風機
１００    患者
１０１    患部
【図１】
2018130447.tif 000003
【図２】
2018130447.tif 000004
【図３】
2018130447.tif 000005
【図４】
2018130447.tif 000006
【図５】
2018130447.tif 000007
【図６】
2018130447.tif 000008